(57)【特許請求の範囲】
【請求項１】
本体を構成する前面パネルの前面上部および上面に吸込口が設けられ、前面下部に吹出口が設けられ、これら吸込口と吹出口とを結ぶ空気通路に、略垂直部と、同略垂直部の上端を折曲して後方に傾斜させた後方傾斜部と、同後方傾斜部の後端を折曲して下方に傾斜させた下方傾斜部とからなる熱交換器と、送風ファンとが設けられ、前記略垂直部の下部にドレンパンを、前記下方傾斜部下端の下部に補助ドレンパンを夫々設け、前記後方傾斜部および前記下方傾斜部の下部に、これら後方傾斜部および下方傾斜部から滴下するドレン水を受けて前記略垂直部および前記ドレンパンと、前記補助ドレンパンとに導く露受具が、前記前面パネルの両側に対応して前記露受具に設けられた取付部により取り付けられてなる空気調和機において、
前記露受具が、互いに平行に配置され、且つ隣り合う端部は垂線に対して互いにラップした複数の前方露受板と、同複数の前方露受板の少なくとも両側部を連結するとともに、前記取付部を構成する前方取付孔を備えた一対の前方取付板とからなる前方露受具と、前記複数の前方露受板と平行に配置され、且つ隣り合う端部は垂線に対して互いにラップした複数の後方露受板と、同複数の後方露受板の両側部を連結するとともに、前記取付部を構成する後方取付孔を備えた一対の後方取付板とからなる後方露受具と、前記前方露受具および前記後方露受具を左右に配置して折曲可能に連結する連結部と、同連結部を中心に１８０°を超えて折曲することにより、前記複数の前方露受板の前端および前記複数の後方露受板の後端が夫々低くなるように断面略ハ字状に傾斜させた位置で、前記前方露受具および前記後方露受具を互いに係止する係止部とを備えて合成樹脂により一体成形されてなり、
前記後方傾斜部および前記下方傾斜部の下部に取り付ける際、前記連結部を折曲して前記前方露受具および前記後方露受具を前記係止部により互いに係止し、前記前方取付孔および前記後方取付孔からなる取付孔に前記前面パネルの両側に設けられた突部を嵌入して取り付けるようにしたことを特徴とする記載の空気調和機。
【請求項２】
前記連結部が、前記前方露受板と前記後方露受板とを接続するように連続形成された薄肉状のセルフヒンジからなり、折曲時に前記露受具の上端部に位置するように形成されてなることを特徴とする請求項１に記載の空気調和機。
【請求項３】
前記連結部をなす前記セルフヒンジが、前記前方露受板および前記後方露受板の左右全幅にわたって形成されてなることを特徴とする請求項１または請求項２に記載の空気調和機。
【請求項４】
前記前方取付孔および前記後方取付孔が、前記前方取付板およびこれに対向する前記後方取付板にその端部を開放して形成され、これら前方取付板および後方取付板の一部を重合することによって円形状の取付孔をなす略Ｕ字孔からなり、同略Ｕ字孔からなる円形状の取付孔に前記突部を嵌入して、前記露受具を前記後方傾斜部および前記下方傾斜部の下部に取り付けたことを特徴とする請求項１に記載の空気調和機。
【請求項５】
前記略Ｕ字孔からなる円形状の取付孔および前記突部を、夫々複数づつ設けたことを特徴とする請求項４に記載の空気調和機。
【請求項６】
左右に対をなす前記前方取付板の間に、前記前方露受板を連結する前方連結板を、左右に対をなす前記後方取付板の間に、前記後方露受板を連結する後方連結板を夫々連続形成したことを特徴とする請求項１または請求項４に記載の空気調和機。
【請求項７】
前記前方連結板および前記後方連結板が、前記前方取付板および前記後方取付板の一部を重合して前記取付孔を形成した際、相対向する周縁からなる当接部を隙間なく当接するように形成されてなることを特徴とする請求項１、請求項４または請求項６に記載の空気調和機。
【請求項８】
前記複数の前方露受板の前端および前記複数の後方露受板の後端に、鋭角状の水切り部を夫々形成したことを特徴とする請求項１乃至請求項３または請求項６の何れかに記載の空気調和機。
【請求項９】
前記複数の前方露受板および前記複数の後方露受板を、左右に対をなす前記前方取付板および前記後方取付板同士の間の中央部および、またはこれら左右に対をなす前方取付板および後方取付板と前記前方連結板および前記後方連結板との間の中央部、もしくは、これら前方連結板および後方連結板同士の間の中央部を夫々低くして、断面略Ｖ字状に形成したことを特徴とする請求項１乃至請求項３または請求項６乃至請求項８の何れかに記載の空気調和機。
【請求項１０】
前記係止部が、左右に対をなす前記前方取付板および前記後方取付板に連続形成され、これら前方取付板および後方取付板の弾性変形を利用して互いに係脱可能に係止する係止爪からなることを特徴とする請求項１、請求項４、請求項６、請求項７または請求項９に記載の空気調和機。
【請求項１１】
前記係止爪が、左右に対をなす前記前方取付板および前記後方取付板の複数箇所に夫々形成されてなることを特徴とする請求項１０に記載の空気調和機。
【発明の詳細な説明】
【０００１】
【発明の属する技術分野】
本発明は、空気調和機に係わり、より詳細には、傾斜させた熱交換器から滴下するドレン水を、コスト的に有利な構成により効果的に処理できるようにした構造に関する。
【０００２】
【従来の技術】
従来の空気調和機は、例えば図５で示すように、本体１を構成する前面パネル1aの前面上部および上面に吸込口２が設けられ、前面下部に吹出口３が設けられ、これら吸込口２と吹出口３とを結ぶ空気通路に、垂直部4aと、同垂直部4aの上端を折曲して後方に傾斜させた後方傾斜部4bと、同後方傾斜部4bの後端を折曲して下方に傾斜させた下方傾斜部4cとからなる熱交換器と、送風ファン５とが設けられ、前記垂直部4aの下部にドレンパン６を、前記下方傾斜部4c下端の下部に補助ドレンパン７を夫々設け、前記後方傾斜部4bおよび前記下方傾斜部4cの下部に、これら後方傾斜部4bおよび下方傾斜部4cから滴下するドレン水を受けて前記垂直部4aおよび前記ドレンパン６と、前記補助ドレンパン７とに導く合成樹脂製の露受具Ａが取り付けられてなる構成であった。
【０００３】
しかしながら、前記露受具Ａは、図５で示すように、前記ドレン水を受けて前記垂直部4aおよび前記ドレンパン６と、前記補助ドレンパン７とに導く複数の前方露受板8'および複数の後方露受板9'が夫々断面略ハ字状に配置されていることから、成形時のスライド方向を単純な前後方向にすることができないため、成形用の金型が複雑化してコスト的に不利になってしまうという問題を有していた。
【０００４】
また、前記複数の前方露受板8'および前記複数の後方露受板9'を連結して前記前面パネル1aの側壁に取り付けられる取付板10' には、同パネル1aの側壁に設けられた突部ｃに嵌入する取付孔ａを設けているが、同取付孔ａを成形するため前記取付板10' に直交させるようにスライドさせる必要が生じて、成形用の金型が更に複雑化してしまうという問題を有していた。
【０００５】
【発明が解決しようとする課題】
本発明においては、上記の問題点に鑑み、傾斜させた熱交換器から滴下するドレン水を、コスト的に有利な構成により効果的に処理できるようにした空気調和機を提供することを目的とする。
【０００６】
【課題を解決するための手段】
本発明は、上記課題を解決するため、本体を構成する前面パネルの前面上部および上面に吸込口が設けられ、前面下部に吹出口が設けられ、これら吸込口と吹出口とを結ぶ空気通路に、略垂直部と、同略垂直部の上端を折曲して後方に傾斜させた後方傾斜部と、同後方傾斜部の後端を折曲して下方に傾斜させた下方傾斜部とからなる熱交換器と、送風ファンとが設けられ、前記略垂直部の下部にドレンパンを、前記下方傾斜部下端の下部に補助ドレンパンを夫々設け、前記後方傾斜部および前記下方傾斜部の下部に、これら後方傾斜部および下方傾斜部から滴下するドレン水を受けて前記略垂直部および前記ドレンパンと、前記補助ドレンパンとに導く露受具が、前記前面パネルの両側に対応して前記露受具に設けられた取付部により取り付けられてなる空気調和機において、
前記露受具が、互いに平行に配置され、且つ隣り合う端部は垂線に対して互いにラップした複数の前方露受板と、同複数の前方露受板の少なくとも両側部を連結するとともに、前記取付部を構成する前方取付孔を備えた一対の前方取付板とからなる前方露受具と、前記複数の前方露受板と平行に配置され、且つ隣り合う端部は垂線に対して互いにラップした複数の後方露受板と、同複数の後方露受板の両側部を連結するとともに、前記取付部を構成する後方取付孔を備えた一対の後方取付板とからなる後方露受具と、前記前方露受具および前記後方露受具を左右に配置して折曲可能に連結する連結部と、同連結部を中心に１８０°を超えて折曲することにより、前記複数の前方露受板の前端および前記複数の後方露受板の後端が夫々低くなるように断面略ハ字状に傾斜させた位置で、前記前方露受具および前記後方露受具を互いに係止する係止部とを備えて合成樹脂により一体成形されてなり、
前記後方傾斜部および前記下方傾斜部の下部に取り付ける際、前記連結部を折曲して前記前方露受具および前記後方露受具を前記係止部により互いに係止し、前記前方取付孔および前記後方取付孔からなる取付孔に前記前面パネルの両側に設けられた突部を嵌入して取り付けるようにした構成となっている。
【０００７】
また、前記連結部が、前記前方露受板と前記後方露受板とを接続するように連続形成された薄肉状のセルフヒンジからなり、折曲時に前記露受具の上端部に位置するように形成された構成となっている。
【０００８】
また、前記連結部をなす前記セルフヒンジが、前記前方露受板および前記後方露受板の左右全幅にわたって形成された構成となっている。
【０００９】
また、前記前方取付孔および前記後方取付孔が、前記前方取付板およびこれに対向する前記後方取付板にその端部を開放して形成され、これら前方取付板および後方取付板の一部を重合することによって円形状の取付孔をなす略Ｕ字孔からなり、同略Ｕ字孔からなる円形状の取付孔に前記突部を嵌入して、前記露受具を前記後方傾斜部および前記下方傾斜部の下部に取り付けた構成となっている。
【００１０】
また、前記略Ｕ字孔からなる円形状の取付孔および前記突部を、夫々複数づつ設けた構成となっている。
【００１１】
また、左右に対をなす前記前方取付板の間に、前記前方露受板を連結する前方連結板を、左右に対をなす前記後方取付板の間に、前記後方露受板を連結する後方連結板を夫々連続形成した構成となっている。
【００１２】
また、前記前方連結板および前記後方連結板が、前記前方取付板および前記後方取付板の一部を重合して前記取付孔を形成した際、相対向する周縁からなる当接部を隙間なく当接するように形成された構成となっている。
【００１３】
また、前記複数の前方露受板の前端および前記複数の後方露受板の後端に、鋭角状の水切り部を夫々形成した構成となっている。
【００１４】
また、前記複数の前方露受板および前記複数の後方露受板を、左右に対をなす前記前方取付板および前記後方取付板同士の間の中央部および、またはこれら左右に対をなす前方取付板および後方取付板と前記前方連結板および前記後方連結板との間の中央部、もしくは、これら前方連結板および後方連結板同士の間の中央部を夫々低くして、断面略Ｖ字状に形成した構成となっている。
【００１５】
また、前記係止部が、左右に対をなす前記前方取付板および前記後方取付板に連続形成され、これら前方取付板および後方取付板の弾性変形を利用して互いに係脱可能に係止する係止爪からなる構成となっている。
【００１６】
更に、前記係止爪が、左右に対をなす前記前方取付板および前記後方取付板の複数箇所に夫々形成された構成となっている。
【００１７】
【発明の実施の形態】
以下、本発明の実施の形態を、添付図面に基づいた実施例として説明する。
図１は本発明による空気調和機の説明図で、（Ａ）は断面図、（Ｂ）は（Ａ）で示すａ部の拡大図であり、図２は本発明による空気調和機の要部説明図で、（Ａ）は露受具の成形時の状態を、（Ｂ）は本体への組付時の状態を夫々示し、図３は本発明による空気調和機の要部分解斜視図であり、図４は本発明による空気調和機の要部説明図である。
【００１８】
図において、１は空気調和機本体、1aは同本体の前面側を構成する前面パネル、２は同本体１の前面上部および上面に設けられた吸込口、３は前面下部に設けられた吹出口、４はこれら吸込口２と吹出口３とを結ぶ空気通路に設けられ、略垂直部4aと、同略垂直部4aの上端を折曲して後方に傾斜させた後方傾斜部4bと、同後方傾斜部4bの後端を折曲して下方に傾斜させた下方傾斜部4cとからなる熱交換器、５は送風ファン、６は前記略垂直部4aの下部に設けられたドレンパン、７は前記下方傾斜部4c下端の下部に設けられた補助ドレンパン、Ａは前記後方傾斜部4bおよび前記下方傾斜部4cの下部に設けられ、これら後方傾斜部4bおよび下方傾斜部4cから滴下するドレン水を受けて前記略垂直部4aおよび前記ドレンパン６と、前記補助ドレンパン７とに導く露受具で、同露受具Ａに設けられた取付部Ｂにより、取付用の突部ｃを備えた前記前面パネル1aの両側に取り付けられるようになっている。
【００１９】
上記に説明した基本構成において、傾斜させた前記熱交換器４の後方傾斜部4bおよび下方傾斜部4cから滴下するドレン水を、コスト的に有利な構成により効果的に処理できるようにした構造について以下に説明する。
【００２０】
前記露受具Ａが、互いに平行に配置され、且つ隣り合う端部は垂線に対して互いにラップした複数の前方露受板8aと、同複数の前方露受板8aの少なくとも両側部を連結するとともに、前記取付部Ｂを構成する前方取付孔ｂを備えた一対の前方取付板8bとからなる前方露受具８と、前記複数の前方露受板8aと平行に配置され、且つ隣り合う端部は垂線に対して互いにラップした複数の後方露受板9aと、同複数の後方露受板9aの両側部を連結するとともに、前記取付部Ｂを構成する後方取付孔b'を備えた一対の後方取付板9bとからなる後方露受具９と、前記前方露受具８および前記後方露受具９を左右に配置して折曲可能に連結する連結部10と、同連結部10を中心に１８０°を超えて折曲することにより、前記複数の前方露受板8aの前端および前記複数の後方露受板9aの後端が夫々低くなるように断面略ハ字状に傾斜させた位置で、前記前方露受具８および前記後方露受具９を互いに係止する係止部11とを備えて合成樹脂により一体成形されてなり、
前記後方傾斜部4bおよび前記下方傾斜部4cの下部に取り付ける際、前記連結部10を折曲して前記前方露受具８および前記後方露受具９を前記係止部11により互いに係止し、前記前方取付孔ｂおよび前記後方取付孔b'からなる取付孔ａに前記前面パネル1aの両側に設けられた突部ｃを嵌入して取り付けるようにした構成となっており、
これによって、上記に説明した従来技術における問題点を解決できるようになって、図２（Ａ）で示す前記露受具Ａが、図における上下方向にのみスライドさせることによって成形できるという低コストでなる金型によって製作可能となり、図２（Ｂ）で示すように、成形したのちに前記連結部10により折曲して前記前方露受具８および前記後方露受具９を前記係止部11により互いに係止した状態で取り付けることにより、傾斜させた前記熱交換器４の後方傾斜部4bおよび下方傾斜部4cから滴下するドレン水を受けることができるようになって、前記略垂直部4aおよび前記ドレンパン６と、前記補助ドレンパン７とに正確に導けるようになる。
【００２１】
また、前記連結部10が、前記前方露受板８と前記後方露受板９とを接続するように連続形成された薄肉状のセルフヒンジ10からなり、折曲時に前記露受具Ａの上端部に位置するように形成された構成となっており、
これによって、前記前方露受具８および前記後方露受具９を、図２（Ａ）の矢印ａで示すように回動させながら前記セルフヒンジ10によって容易に折曲できるとともに、図２（Ｂ）で示すように折曲形成した際、前記セルフヒンジ10に、前記熱交換器４の後方傾斜部4bおよび下方傾斜部4cから滴下するドレン水の一部を受ける機能を併せもたせることができるようになる。
【００２２】
また、前記連結部10をなす前記セルフヒンジ10が、前記前方露受板8aおよび前記後方露受板9aの左右全幅にわたって形成されたことにより、同セルフヒンジ10としての強度を増強できるようになるとともに、ドレン水の一部を効果的に受けることができるようになる。
【００２３】
また、前記前方取付孔ｂおよび前記後方取付孔b'が、前記前方取付板8bおよびこれに対向する前記後方取付板9bにその端部を開放して形成され、これら前方取付板8bおよび後方取付板9bの一部を重合することによって円形状の取付孔ａをなす略Ｕ字孔ｂおよびb'からなり、同略Ｕ字孔ｂおよびb'からなる円形状の取付孔ａに前記突部ｃを嵌入して、前記露受具Ａを前記後方傾斜部4bおよび前記下方傾斜部4cの下部に取り付けたことにより、
前記前方取付板8bおよび、または前記後方取付板9bに、円形状でなる前記取付孔ａを単独に穿設する場合に比して、前記露受具Ａを成形するための前記金型構造を大幅に簡略化させることができるようになり、図２（Ｂ）で示すように、成形したのちに前記セルフヒンジ10を折曲または湾曲させて前記取付孔ａを形成し、同取付孔ａを前記突部ｃを嵌入することによって前記露受具Ａを前記後方傾斜部4bおよび前記下方傾斜部4cの下部に正確に取付できるようになる。
【００２４】
また、前記略Ｕ字孔ｂおよびb'からなる円形状の前記取付孔ａおよび前記突部ｃを夫々複数づつ設けたことにより、前記露受具Ａを前記後方傾斜部4bおよび前記下方傾斜部4cの下部に正確に、且つ強固に取付できるようになる。
【００２５】
また、左右に対をなす前記前方取付板8bの間に、前記前方露受板8aを連結する前方連結板8cを、左右に対をなす前記後方取付板9bの間に、前記後方露受板9aを連結する後方連結板9cを夫々連続形成したことにより、前記前方露受板8aおよび前記後方露受板9aが撓まないように補強した構造となる。
【００２６】
また、前記前方連結板8cおよび前記後方連結板9cが、前記前方取付板8bおよび前記後方取付板9bの一部を重合して前記略Ｕ字孔ｂおよびb'により円形状の前記取付孔ａを形成した際、図３で示すように、相対向する周縁からなる当接部ｅを隙間なく当接するように形成されたことにより、前記露受具Ａの強度を更に増強させることができて、前記後方傾斜部4bおよび前記下方傾斜部4cの下部に取り付けた時に変形しないようになる。
【００２７】
また、前記複数の前方露受板8aの前端および前記複数の後方露受板9aの後端に、図１（Ｂ）で示すような鋭角状の水切り部ｄを夫々形成したことにより、前記複数の前方露受板8aおよび前記複数の後方露受板9aの上位から下位に向かうドレン水が効果的に水切りされて順次円滑に導かれるようになる。
なお、図１（Ｂ）においては前記複数の後方露受板9aの後端に形成した前記水切り部ｂを図示しているが、前記複数の前方露受板8aの前端においても、前記鋭角状の水切り部ｂと同じものが形成されている。
【００２８】
また、前記複数の前方露受板8aおよび前記複数の後方露受板9aを、図４で示す傾斜角度θのように、左右に対をなす前記前方取付板8bおよび前記後方取付板9b同士の間の中央部および、またはこれら左右に対をなす前方取付板8bおよび後方取付板9bと前記前方連結板8cおよび前記後方連結板9cとの間の中央部、もしくは、これら前方連結板8cおよび後方連結板9c同士の間の中央部を夫々低くして、断面略Ｖ字状に形成した構成となっており、
これによって、前記断面略Ｖ字状の中央部にドレン水が集められて導かれるようになるので、例えば特開平９ー２６２５４号公報で開示されているように、「各水受け皿に滴下したドレン水を上記メインドレンパン9'に導く断面Ｕ字状の中央案内樋が連設される」ような構成にすることなく、順次円滑にドレン水を導けるようになる。
【００２９】
また、前記係止部11が、左右に対をなす前記前方取付板8bおよび前記後方取付板9bに連続形成され、これら前方取付板8bおよび後方取付板9bの弾性変形を利用して互いに係脱可能に係止する係止爪11からなる構成となっており、
これによって、前記セルフヒンジ10を折曲または湾曲させて前記取付孔ａを形成した状態で、前記係止爪11を係止することにより前記前方取付板8bおよび前記後方取付板9bを固定し、前記取付孔ａに前記突部ｃを嵌入することによって前記露受具Ａを前記後方傾斜部4bおよび前記下方傾斜部4cの下部に取付できるようになる。
【００３０】
更に、前記係止爪11が、左右に対をなす前記前方取付板8bおよび前記後方取付板9bの複数箇所に夫々形成されたことにより、前記前方取付板8bおよび前記後方取付板9bを更に強固に固定できるようになる。
【００３１】
以上の構成により、図１（Ａ）および図１（Ｂ）と、図２（Ａ）および図２（Ｂ）と、図３および図４とで示すように、前記露受具Ａが、前方を水平面に対して低く傾斜し、前記後方傾斜部4bの下方の投影面から所定の距離を有して上下に平行に配置され、且つ隣り合う上下端部は垂線に対して互いにラップした複数の前方露受板8aと、同複数の前方露受板8aの少なくとも両側部を連結するとともに、前記取付部Ｂを構成する前方取付孔ｂを備えた一対の前方取付板8bとからなる前方露受具８と、後方を水平面に対して低く傾斜し、前記下方傾斜部4cの下方の投影面から所定の距離を有して平行に配置され、且つ隣り合う上下端部は垂線に対して互いにラップした複数の後方露受板9aと、同複数の後方露受板9aの両側部を連結するとともに、前記取付部Ｂを構成する後方取付孔b'を備えた一対の後方取付板9bとからなる後方露受具９と、前記前方露受具８および前記後方露受具９を折曲可能に連結する連結部10と、同連結部10を折曲して前記前方露受具８および前記後方露受具９を互いに係止する係止部11とを備えてなり、
合成樹脂により金型成形する際、前記連結部10を介して、前記前方露受具８および前記後方露受具９と、前記係止部11とを夫々左右に展開することにより、これらを同一のスライド方向にして成形し、前記後方傾斜部4bおよび前記下方傾斜部4cの下部に設ける際、前記連結部10を折曲して前記前方露受具８および前記後方露受具９を前記係止部11で互いに係止し、前記前方取付孔ｂおよび前記後方取付孔b'からなる取付孔ａに前記前面パネル1aの両側に設けられた突部ｃを嵌入して取り付けるようにしたので、
上記に説明した従来技術における問題点を解決できるようになって、図２（Ａ）で示す前記露受具Ａが、図における上下方向にのみスライドさせることによって成形できるという低コストでなる金型によって製作可能となり、図２（Ｂ）で示すように、成形したのちに前記連結部10により折曲して傾斜させた前記熱交換器４の後方傾斜部4bおよび下方傾斜部4cから滴下するドレン水を受けることができるようになって、前記略垂直部4aおよび前記ドレンパン６と、前記補助ドレンパン７とに正確に導けるようにした空気調和機となる。
【００３２】
【発明の効果】
以上のように本発明によると、傾斜させた熱交換器から滴下するドレン水を、コスト的に有利な構成により効果的に処理できるようにした空気調和機となる。
【図面の簡単な説明】
【図１】本発明による空気調和機の説明図で、（Ａ）は断面図であり、（Ｂ）は（Ａ）で示すａ部の拡大図である。
【図２】本発明による空気調和機の要部説明図で、（Ａ）は露受具の成形時の状態を示し、（Ｂ）は本体への組付時の状態を示す。
【図３】本発明による空気調和機の要部分解斜視図である。
【図４】本発明による空気調和機の要部説明図である。
【図５】従来例による空気調和機の断面図である。
【符号の説明】
１  空気調和機本体
1a  前面パネル
２  吸込口
３  吹出口
４  熱交換器
4a  略垂直部
4b  後方傾斜部
4c  下方傾斜部
５  送風ファン
６  ドレンパン
７  補助ドレンパン
８  前方露受具
8a  前方露受板
8b  前方取付板
8c  前方連結板
９  後方露受具
9a  後方露受板
9b  後方取付板
9c  後方連結板
10  連結部，セルフヒンジ
11  係止部，係止爪
Ａ  露受具
Ｂ  取付部
ａ  取付孔
ｂ  略Ｕ字孔，前方取付孔
b'  略Ｕ字孔，後方取付孔
ｃ  突部
ｄ  水切り部
ｅ  当接部
θ  傾斜角度
【図１】
0004438186.tif 000002
【図２】
0004438186.tif 000003
【図３】
0004438186.tif 000004
【図４】
0004438186.tif 000005
【図５】
0004438186.tif 000006